(57)【要約】【課題】竹の消費量を促進して山の荒廃を防ぐとともに、屋外で長期間使用しても丈夫で折れ難く、処分する際にも短く切断できて簡単に廃棄処理することができる、竹集成材で形成した竿を得る。【解決手段】竹特に孟宗竹を原竹とし、該原竹を所定の長さに切断したのち繊維方向に均等に６〜１２分割して得た各竹片の繊維方向の両端面を切削加工し、該切削加工した３本の竹片の各々の切削加工面を接合面として接着剤にて接着処理する。その後、前記接着処理して得られた竹集成材の繊維方向の角部をさらに切削加工して繊維方向と直角の断面が円形の竿を得る。また、前記竿の表面及び両端部に保護部材を形成して保護を図る。【選択図】図１
0003160316.tif 000002
【実用新案登録請求の範囲】
【請求項１】
竹特に孟宗竹を原竹とし、該原竹を所定の長さに切断したのち繊維方向に均等に６〜１２分割して得た各竹片の繊維方向の両端面を切削加工し、該切削加工した３本の竹片の各々の切削加工面を接合面として接着剤にて接着処理した後、前記接着処理して得られた竹集成材の繊維方向の角部をさらに切削加工して繊維方向と直角の断面が円形の竿としたことを特徴とする、竹集成材で形成した竿。
【請求項２】
上記竿の表面及び両端部に保護部材を形成して保護を図ったことを特徴とする、請求項１に記載の竹集成材で形成した竿。
【考案の詳細な説明】
【技術分野】
【０００１】  本考案は、竹特に孟宗竹を原竹として集成加工し、物干し竿や園芸用支柱及び手摺等の建築材などに利用できる竿に関するものである。
【背景技術】
【０００２】  近年において、物干し竿は、主に鉄パイプに塩化ビニル製の保護チューブを被せて両端部に保護カバーを被せたものや、ステンレスパイプの両端部に保護カバーを被せたものが使用されている。該鉄パイプ製やステンレスパイプ製の物干し竿の普及以前は、真竹等の竹を乾燥及び整形処理してそのまま使用し、又はこれに前記塩化ビニル製の保護チューブを被せて使用していた。また、園芸用支柱も近年においては、主に鉄パイプに塩化ビニル製の保護チューブを被せて両端部に保護カバーを被せたものや、樹脂成形したものが使用されている。該鉄パイプ製や樹脂製の園芸用支柱の普及以前は、単に細竹を適度な長さに切ったものを使用していた。
【考案の開示】
【考案が解決しようとする課題】
【０００３】  上記真竹等の竹を乾燥及び整形処理した物干し竿、又はこれに上記塩化ビニル製の保護チューブを被せただけの物干し竿や、単に細竹を適度な長さに切っただけの園芸用支柱は工業製品ではなく、大量生産を行ったり一定品質のものを提供することが難しいため、物干し竿にあっては上記鉄パイプに塩化ビニル製の保護チューブを被せて両端部に保護カバーを被せたものや、ステンレスパイプの両端部に保護カバーを被せたものに取って代わり、園芸用支柱にあっては上記鉄パイプに塩化ビニル製の保護チューブを被せて両端部に保護カバーを被せたものや、樹脂成形したものに取って代わられた経緯がある。【０００４】  このようにして、竹の消費量が激減したことを始めとした諸事情により竹林の手入れが行われなくなり、その結果として、山のあちこちで竹が無秩序に生えるなど山が荒廃してきており、新たな環境問題が起こっている。【０００５】  また、上記鉄パイプ製の物干し竿や園芸用支柱で使用される鉄パイプの鋼板の厚みは非常に薄いため、しばらく屋外で使用していると傷が付いた箇所より錆が発生して脆くなり、折れ易いという欠点があった。さらに、前記のようにして折れた鉄パイプ製の物干し竿や園芸用支柱を処分する際に、短く切断したり廃棄処理することが簡単にはできなく、処理し難いという問題点もあった。【０００６】  本考案は上記問題点を解決するために成されたものであり、竹の消費量を促進して山の荒廃を防ぐとともに、屋外で長期間使用しても丈夫で折れ難く、処分する際にも短く切断できて簡単に廃棄処理することができる、竹集成材で形成した竿を提供することを目的とする。
【課題を解決するための手段】
【０００７】  上記課題を解決するため、本考案の竹集成材で形成した竿は、竹特に孟宗竹を原竹とし、該原竹を所定の長さに切断したのち繊維方向に均等に６〜１２分割して得た各竹片の繊維方向の両端面を切削加工し、該切削加工した３本の竹片の各々の切削加工面を接合面として接着剤にて接着処理する。その後、前記接着処理して得られた竹集成材の繊維方向の角部をさらに切削加工して繊維方向と直角の断面が円形の竿を得る。【０００８】  また、上記竿の表面及び両端部に保護部材を形成して保護を図る。
【考案の効果】
【０００９】  本考案の竹集成材で形成した竿によれば、３本の竹片を集成加工した集成材のため、中空部の多い自然の竹と比べて強度や耐環境性が増すことにより、物干し竿や園芸用支柱として屋外で長期間使用しても丈夫で折れ難くなる。さらには、一定品質のものが得られるため、手摺等の建築材などに利用することができる。また、素材が竹のため、処分する際にはのこぎりで簡単に短く切断することができ、一般ごみとして焼却廃棄処分することができる。その結果、竹を工業利用することにより竹の消費量を促進することができるため、竹林が整備されて山の荒廃を防ぐことができるという数々の効果を奏する。
【考案を実施するための最良の形態】
【００１０】  本考案を実施するための最良の形態を図を用いて説明する。【００１１】  図２は本考案の竹集成材で使用する竹片を得るための分割方法を示した断面図であり、竹特に孟宗竹を原竹２とし、該原竹２を所定の長さに切断したのち繊維方向に均等に６〜１２分割して竹片３を得る。該図では均等に８分割した状態を示している。６〜１２の分割数は、使用する原竹の太さや厚さと、目的とする竿の太さに応じて任意に決めて構わない。【００１２】  次に、図３は本考案の竹集成材を構成する加工竹片を形成するための方法を示した断面図である。（ａ）は加工前の状態を示し、上記のようにして得られた竹片３の繊維方向の両端面を切削加工し、切削部４，４を切り落とす。（ｂ）は加工後の状態を示し、前記切削加工にて扇型の加工竹片５を得る。該扇型の扇部の角度は１２０度とする。【００１３】  次に、図４は本考案の竹集成材を形成するための方法を示した断面図である。（ａ）は上記のようにして得られた３本の加工竹片５の各々の切削加工面を接合面６，６として接着剤（図示せず）を塗布して接着処理する状態を示している。（ｂ）は前記接着処理して得られた竹集成材７の繊維方向の角部の切削部８をさらに切削加工する状態を示している。なお、図中点線は切削加工する境界面を示している。（ｃ）は前記切削加工を行うことにより繊維方向と直角の断面が円形の竿１を得た状態を示している。なお、竿１の中心部に形成される僅かな中空部９の大きさは、加工する原竹の太さや厚さの状態及び目的とする竿１の太さにより、製品ごとに異なるものとなる。【００１４】  図１は本考案の竹集成材で形成した竿の構造図であり、上述した方法により竹集成材で形成した竿１が得られる。なお、一定間隔で節痕１０が見られるが、強度的に特に問題はないものである。【００１５】  図５は本考案の竹集成材の表面及び両端部に保護部材を形成した外観図であり、竿１の表面に保護チューブを被せ、両端に保護カバー１２，１２を被せた状態を示している。該状態のように竿１を処理すれば、物干し竿や園芸用支柱として屋外で長期間使用しても腐食することもない。また、品質的に丈夫で一定品質のものが得られると共に美観的にも綺麗になるため、手摺等の建築材などに利用できることにもなる。なお、前記保護チューブ１１や保護カバー１２の素材等は特に限定するものではなく、竿１を保護する目的であればあらゆる素材や構造及び加工方法を含むものとする。
【図面の簡単な説明】
【００１６】
【図１】本考案の竹集成材で形成した竿の構造図である。
【図２】本考案の竹集成材で使用する竹片を得るための分割方法を示した断面図である。
【図３】本考案の竹集成材を構成する加工竹片を形成するための方法を示した断面図である。
【図４】本考案の竹集成材を形成するための方法を示した断面図である。
【図５】本考案の竹集成材の表面及び両端部に保護部材を形成した外観図である。
【符号の説明】
【００１７】  １  竿
２  原竹
３  竹片
４  切削部
５  加工竹片
６  接合面
７  竹集成材
８  切削部
９  中空部
１０  節痕
１１  保護チューブ
１２  保護カバー
【図１】
0003160316.tif 000003
【図２】
0003160316.tif 000004
【図３】
0003160316.tif 000005
【図４】
0003160316.tif 000006
【図５】
0003160316.tif 000007
【手続補正書】
【提出日】平成22年3月4日(2010.3.4)
【手続補正１】
【補正対象書類名】実用新案登録請求の範囲
【補正対象項目名】全文
【補正方法】変更
【補正の内容】
【実用新案登録請求の範囲】
【請求項１】
孟宗竹を原竹とし、該原竹を所定の長さに切断したのち繊維方向に均等に６〜１２分割して得た各竹片の繊維方向の両端面を切削加工し、該切削加工した３本の竹片の各々の切削加工面を接合面として接着剤にて接着処理した後、前記接着処理して得られた竹集成材の繊維方向の角部をさらに切削加工して繊維方向と直角の断面が円形の竿としたことを特徴とする、竹集成材で形成した竿。
【請求項２】
上記竿の表面及び両端部に保護部材を形成して保護を図ったことを特徴とする、請求項１に記載の竹集成材で形成した竿。
【手続補正２】
【補正対象書類名】明細書
【補正対象項目名】０００７
【補正方法】変更
【補正の内容】
【０００７】  上記課題を解決するため、本考案の竹集成材で形成した竿は、孟宗竹を原竹とし、該原竹を所定の長さに切断したのち繊維方向に均等に６〜１２分割して得た各竹片の繊維方向の両端面を切削加工し、該切削加工した３本の竹片の各々の切削加工面を接合面として接着剤にて接着処理する。その後、前記接着処理して得られた竹集成材の繊維方向の角部をさらに切削加工して繊維方向と直角の断面が円形の竿を得る。